(57)【要約】      （修正有）【課題】昇降路側に１つの送風装置を設けることで、かご側に設置された機器の適正な温度管理が行えるエレベータ装置を提供する。【解決手段】昇降路１側の所定階に、かご２が該所定階の乗場へ停止した時に、かご側に設置されたかご側機器４，５に送風を行う送風装置７を設けた。また、かごの運転制御と共に送風装置の制御を行う制御手段を備え、制御手段が、呼び登録がない時にかごを所定階へ配車して送風装置に送風を行わせる。さらにかご側機器の機器温度又は設置環境温度を検出する温度センサを備え、制御手段が、温度センサの検出温度が適正温度範囲を超えた時に、呼び登録がなければかごを所定階へ配車して送風装置に送風を行わせる。【選択図】図２
2008056371.tif 000002
【特許請求の範囲】
【請求項１】
昇降路側の所定階に、かごが該所定階の乗場へ停止した時に、かご側に設置されたかご側機器に送風を行う送風装置を設けたことを特徴とするエレベータ装置。
【請求項２】
かごの運転制御と共に送風装置の制御を行う制御手段を備え、前記制御手段が、呼び登録がない時に前記かごを前記所定階へ配車して前記送風装置に送風を行わせることを特徴とする請求項１に記載のエレベータ装置。
【請求項３】
かご側機器の機器温度又は設置環境温度を検出する温度センサを備え、前記制御手段が、前記かご側機器のための予め設定された適正温度範囲を記憶し、前記温度センサの検出温度が前記適正温度範囲を超えた時に、呼び登録がなければ前記かごを前記所定階へ配車して前記送風装置に送風を行わせることを特徴とする請求項１に記載のエレベータ装置。
【請求項４】
かご側機器の機器温度又は設置環境温度を検出する温度センサを備え、前記制御手段が、前記かご側機器のための予め設定された許容温度範囲を記憶し、前記温度センサの検出温度が前記許容温度範囲を超えた時に、前記かごを前記所定階へ配車して前記送風装置に送風を行わせることを特徴とする請求項１に記載のエレベータ装置。
【請求項５】
かご側機器の機器温度又は設置環境温度を検出する温度センサを備え、前記制御手段が、前記かご側機器のための予め設定された適正温度範囲及び前記適正温度範囲を含みかつ温度範囲がより広い許容温度範囲を記憶し、前記温度センサの検出温度が前記適正温度範囲を超えた時に、呼び登録がなければ前記かごを前記所定階へ配車して前記送風装置に送風を行わせ、前記許容温度範囲を超えた時に、前記かごを前記所定階へ配車して前記送風装置に送風を行わせることを特徴とする請求項１に記載のエレベータ装置。
【請求項６】
所定階が、呼び登録がない時にかごを待機させる待機階であることを特徴とする請求項１から５までのいずれか１項に記載のエレベータ装置。
【請求項７】
検出温度が適正温度範囲又は許容温度範囲の上限を超えたら冷風、下限を超えたら温風のそれぞれ送風を行うことを特徴とする請求項１から６までのいずれか１項に記載のエレベータ装置。
【発明の詳細な説明】
【技術分野】
【０００１】
この発明は、エレベータ装置、特にかご上に設置された機器の温度管理に関する。
【背景技術】
【０００２】
昇降路内のエレベータ用かご上に設置された機器は、エレベータの設置環境や昇降路内に設置された他の機器や自らの発熱等により、昇降路内で温度が上昇又は低下し、機器の適正温度範囲を超えて高温又は低温状態になることがある。かご上に設置される機器としては、かご内の温度制御を行うかご空調装置があるが、これ以外にも近年のエレベータでは、エレベータの制御装置を機械室のみならず、かご上にその機能の一部をかご制御装置として設置し、かご廻りの機器であるかご操作盤の信号やドアの開閉制御に関する信号などをかご制御装置を介して機械室のエレベータ制御装置へ伝送して信号の処理やエレベータの運転制御などを行っている。このようなかご制御装置の場合、温度が正常動作範囲を超えてしまうと、かご制御装置の誤動作につながるケースもある。
【０００３】
そこで従来、昇降路上部に冷房ユニットを設置して昇降路を冷却するようにしたもの(例えば特許文献１参照)、昇降路壁等がガラスからなる展望エレベータにおいて、遮光カバーを設置して直接太陽光にさらされることを防ぐようにしたもの(例えば特許文献２参照)、さらに、独立した機械室を持たずにエレベータ制御装置、巻上機等の機器を昇降路内に設けた、これらの機器の発熱が問題になっている機械室レスエレベータにおいて、かごに設置され通常はかご内の空気を換気する換気装置と、かごが所定階に停止あるいは休止している時にかごの戸を開けて換気装置によって昇降路内の空気をかご内の空気と共に換気する換気運転制御手段を備えたものがあった(例えば特許文献３参照)。
【０００４】
【特許文献１】特開平５−１９３８６３号公報
【特許文献２】特開２００２−２６５１７０号公報
【特許文献３】特開２００１−７２３４７号公報
【発明の開示】
【発明が解決しようとする課題】
【０００５】
以上のように、エレベータ装置においてはかご側に設置された機器の温度管理が必要であり、昇降路壁等がガラスからなる展望エレベータや昇降路内に機器を設けた機械室レスエレベータ等では特に重要である。
【０００６】
この発明では、昇降路側に１つの送風装置を設けることで、かご側に設置された機器の適正な温度管理が行えるエレベータ装置を提供することを目的とする。
【課題を解決するための手段】
【０００７】
この発明は、昇降路側の所定階に、かごが該所定階の乗場へ停止した時に、かご側に設置されたかご側機器に送風を行う送風装置を設けたことを特徴とするエレベータ装置にある。
【発明の効果】
【０００８】
この発明では、昇降路側に１つの送風装置を設けることで、かご側に設置された機器の適正な温度管理が行える。
【発明を実施するための最良の形態】
【０００９】
実施の形態１．
図１はこの発明によるエレベータ装置の全体構成の一例を概略的に示す図である。図１のエレベータ装置は機械室レスの方式のものを例示しており、エレベータ用のかご２は昇降路１内に設けられた主索及びこれを巻上げる巻上機(共に図示省略)により昇降路１内を昇降する。かご２は、同様に昇降路１内に設けられたエレベータ制御装置３にケーブルＣ１により接続されている。エレベータ制御装置３はかご２や各階の乗場の乗場釦を含む乗場操作盤、さらにかご位置センサやかご速度センサ等(共に図示省略)に接続され、かご呼びや乗場呼びに応答して巻上機を駆動制御してかご２を昇降させる。また所定階の乗場６にはかご側機器の温度調整を行うための送風装置７が設置されており、この送風装置７はエレベータ制御装置３にケーブルＣ２により接続されている。
【００１０】
図２は図１のかご２廻りの概略図である。かご２の例えばかご上には、かご側機器であるかご制御装置４とかご空調装置５が設置されており、かご２はかご制御装置４の制御により、かご内操作盤の情報通信やドア開閉を行っている。またかご２は、かご空調装置５によりかご内が適切な温度になるように空調制御が行われている。乗場６には、かご２が停止(着床)した時にかご上のかご制御装置４及びかご空調装置５に風Ｗが当たる位置に送風装置７が設置されている。
【００１１】
送風装置７は予め設定された暖房又は冷房に従って冷たい風又は暖かい風を送ったり、あるいは後述するようにエレベータ制御装置３からの制御により冷房、暖房の設定が切り換えられ、これに基づいて風Ｗを送る。
【００１２】
なお、以下で説明する各実施の形態での動作は基本的に、コンピュータを備えた制御手段を構成するエレベータ制御装置３及びかご制御装置４により行われる。
【００１３】
図３にはこの発明の一実施の形態によるエレベータ装置の動作フローチャートを示し、以下、動作を説明する。エレベータ制御装置３はかご２が送風装置７の設置階(所定階)の乗場６に停止しているか否かを判定し(ステップＳ１)、停止していれば送風装置７を運転して、冷房又は暖房の設定された風Ｗをかご２側のかご制御装置４及びかご空調装置５に対して送風させ(ステップＳ２)、停止していなければ呼び登録に従ってかご２のサービスを行う通常運転を継続する(ステップＳ３)。
【００１４】
これにより、かご側機器であるかご制御装置４及びかご空調装置５の温度管理を行い、これらの機器の誤動作や故障の発生等を防止できる。
【００１５】
実施の形態２．
図４にはこの発明の別の実施の形態によるエレベータ装置の動作フローチャートを示す。エレベータ装置全体の構成は図１，２で説明したものと同様である。図４に従って動作を説明すると、エレベータ制御装置３はかご呼びや乗場呼びの登録状態を監視し(ステップＳ４)、呼び登録があれば通常運転を継続する(ステップＳ３)。そして呼び登録がなくなった時点で、かご２を送風装置７の設置階の乗場６に配車(実際には巻上機を制御)する(ステップＳ５)。そしてかご２が送風装置７の設置階の乗場６に到着して停止したことを確認して(ステップＳ１)、送風装置７を運転して、冷房又は暖房の設定された風Ｗをかご２側のかご制御装置４及びかご空調装置５に送風させる(ステップＳ２)。そして送風装置運転中(ステップＳ２)及びかご２の設置階への配車(ステップＳ５)の間に呼び登録が発生すれば(ステップＳ６、Ｓ４)、通常運転に戻る(ステップＳ３)。
【００１６】
これにより、利用者へのサービスの質を維持しつつ温度管理が行える。
【００１７】
実施の形態３．
図５はこの発明の別の実施の形態によるエレベータ装置のかご廻りの概略図である。図２に示したものと異なる部分は、かご２側にかご制御装置４及びかご空調装置５の機器温度又はこれらの機器の設置環境温度を検出する温度センサ８を設けた点である。温度センサ８で検出された温度検出信号は、かご制御装置４やケーブルＣ１を介してエレベータ制御装置３へ送られる。エレベータ装置全体の構成は図１で説明したものと同様である。またエレベータ制御装置３の例えばメモリ(図示省略)には、かご制御装置４及びかご空調装置５等からなるかご側機器の動作に適した適正温度範囲を示す第１の上限温度値以下、第１の下限温度値以上で定義される第１の温度範囲が予め設定されている。
【００１８】
図６にはこの実施の形態によるエレベータ装置の動作フローチャートを示す。図６に従って動作を説明すると、エレベータ制御装置３において、温度センサ８からの温度検出信号が第１の温度範囲内であれば(ステップＳ７)、通常運転を継続する(ステップＳ３)。ステップＳ７で第１の温度範囲を超えていれば、呼び登録の有無を判断し(ステップＳ４)、呼び登録があれば通常運転を継続するが(ステップＳ３)、呼び登録がなければ、かご２を送風装置７の設置階の乗場６に配車する(ステップＳ５)。そしてかご２が送風装置７の設置階の乗場６に到着して停止したことを確認して(ステップＳ１)、送風装置７を運転する(ステップＳ２)。この時、温度センサ８からの温度検出信号が第１の上限温度値を超えていれば冷房、第１の下限温度値を下回っていれば暖房に送風装置７をそれぞれに設定して、設定に従った冷風又は熱風である風Ｗをかご２側のかご制御装置４及びかご空調装置５に対して送風させる。
【００１９】
そして送風装置運転中(ステップＳ２)及びかご２の設置階への配車(ステップＳ５)の間に温度センサ８からの温度検出信号が第１の温度範囲内に戻るか(ステップＳ８，Ｓ７)、呼び登録が発生すれば(ステップＳ６，Ｓ４)、通常運転に戻る(ステップＳ３)。
【００２０】
これにより上記実施の形態に比べてさらに、かご側設置機器を適正温度範囲に維持するように無駄なく温度管理ができる。
【００２１】
実施の形態４．
この実施の形態によるエレベータ装置及びエレベータ装置のかご廻りの構成は図１、図５に示すものと同じである。またエレベータ制御装置３のメモリ(図示省略)には、適正温度範囲である上記第１の温度範囲を含みかつ温度範囲がより広い、かご側機器の動作限界となる許容温度範囲である第２の温度範囲が予め設定されている。上記第１の温度範囲は余裕を持たせた適正温度範囲であるのに対して、第２の温度範囲は機器に誤動作や故障が発生する限界ギリギリの許容温度範囲であり、第１の上限温度値より高い第２の上限温度値以下、第１の下限温度値より低い第２の下限温度値以上で定義される。
【００２２】
図７にはこの実施の形態によるエレベータ装置の動作フローチャートを示す。図７に従って動作を説明すると、エレベータ制御装置３において、温度センサ８からの温度検出信号が第２の温度範囲内であれば(ステップＳ９)、通常運転を継続する(ステップＳ３)。ステップＳ９で第２の温度範囲を超えれば、呼び登録の有無に無関係に、かご２を送風装置７の設置階の乗場６に配車する(ステップＳ５)。そしてかご２が送風装置７の設置階の乗場６に到着して停止したことを確認して(ステップＳ１)、送風装置７を運転する(ステップＳ２)。この時、温度センサ８からの温度検出信号が第２の上限温度値を超えていれば冷房、第２の下限温度値を下回っていれば暖房に送風装置７をそれぞれに設定して、設定に従った冷風又は熱風である風Ｗをかご２側のかご制御装置４及びかご空調装置５に対して送風させる。
【００２３】
そして送風装置運転中(ステップＳ２)に温度センサ８からの温度検出信号が第２の温度範囲内に戻れば(ステップＳ１０)、通常運転に戻る(ステップＳ３)。
【００２４】
これにより、かごを即時、設置階へ配車してかご側設置機器を許容温度範囲内に維持するように無駄なく温度管理でき、かご側設置機器の損傷を未然に防止し、エレベータ装置の故障によるサービスの低下を防げる。
【００２５】
実施の形態５．
この実施の形態によるエレベータ装置及びエレベータ装置のかご廻りの構成は図１、図５に示すものと同じである。またエレベータ制御装置３のメモリ(図示省略)には、上記第１の温度範囲と第２の温度範囲が予め設定されている。
【００２６】
図８にはこの実施の形態によるエレベータ装置の動作フローチャートを示す。図８に従って動作を説明すると、エレベータ制御装置３において、温度センサ８からの温度検出信号が適正温度範囲である第１の温度範囲内であれば(ステップＳ７)、通常運転を継続する(ステップＳ３)。ステップＳ７で第１の温度範囲を超えていて、さらに許容温度範囲である第２の温度範囲内であるか否かを判断し(ステップＳ９)、第２の温度範囲を超えれば、呼び登録の有無に無関係に、かご２を送風装置７の設置階の乗場６に配車する(ステップＳ５)。またステップＳ９で第２の温度範囲を超えていなければ、呼び登録の有無を判断し(ステップＳ４)、呼び登録があれば通常運転を継続するが(ステップＳ３)、呼び登録がなければ、かご２を送風装置７の設置階の乗場６に配車する(ステップＳ５)。
【００２７】
そしてかご２が送風装置７の設置階の乗場６に到着して停止したことを確認して(ステップＳ１)、送風装置７を運転する(ステップＳ２)。この時、温度センサ８からの温度検出信号が第１又は第２の上限温度値を超えていれば冷房、第１又は第２の下限温度値を下回っていれば暖房に送風装置７をそれぞれに設定して、設定に従った冷風又は熱風である風Ｗをかご２側のかご制御装置４及びかご空調装置５に対して送風させる。
【００２８】
そして送風装置運転中(ステップＳ２)及びかご２の設置階への配車(ステップＳ５)の間に、温度センサ８からの温度検出信号が第２の温度範囲内に戻った場合(ステップＳ１０，Ｓ９)、温度センサ８からの温度検出信号がさらに第１の温度範囲内に戻るか(ステップＳ８，Ｓ７)、呼び登録が発生すれば(ステップＳ６，Ｓ４)、通常運転に戻る(ステップＳ３)。
【００２９】
これにより、かご側設置機器の機器温度又は設置環境温度が許容温度範囲を超えた場合と適正温度範囲を超えた場合で、異なる制御が行え、より適切な温度管理が行える。
【００３０】
なお、所定階は、呼び登録がない時にかごを待機させる待機階とすることが好ましく、例えば玄関階等になる。
【００３１】
また、上記説明では、温度管理を行うかご側機器としてかご上のかご制御装置及びかご空調装置を例に挙げて説明したが、昇降路側の送風装置から送風可能なかご側の機器あればどのような機器でも温度管理を行うことができる。
【図面の簡単な説明】
【００３２】
【図１】この発明によるエレベータ装置の全体構成の一例を概略的に示す図である。
【図２】図１のかご廻りの一例の概略図である。
【図３】この発明の実施の形態１によるエレベータ装置の動作フローチャートである。
【図４】この発明の実施の形態２によるエレベータ装置の動作フローチャートである。
【図５】図１のかご廻りの他の例の概略図である。
【図６】この発明の実施の形態３によるエレベータ装置の動作フローチャートである。
【図７】この発明の実施の形態４によるエレベータ装置の動作フローチャートである。
【図８】この発明の実施の形態５によるエレベータ装置の動作フローチャートである。
【符号の説明】
【００３３】
１  昇降路、２  かご、３  エレベータ制御装置(制御手段)、４  かご制御装置(制御手段、かご側機器)、５  かご空調装置(かご側機器)、６  乗場、７  送風装置、８  温度センサ、Ｃ１，Ｃ２  ケーブル、Ｗ  風。
【図１】
2008056371.tif 000003
【図２】
2008056371.tif 000004
【図３】
2008056371.tif 000005
【図４】
2008056371.tif 000006
【図５】
2008056371.tif 000007
【図６】
2008056371.tif 000008
【図７】
2008056371.tif 000009
【図８】
2008056371.tif 000010